(57)【要約】      （修正有）【課題】通気性、強力な撥水性並びに縦横方向の伸縮性を有する撥水生地のみを使用することで使用性、取扱い性、洗濯乾燥効率等の向上を実現し、特に高齢者向け環境に応じたおむつカバーを提供する。【解決手段】糸表面に炭素フッ素を付着させ縦横方向に伸縮するとともに通気性を有する撥水生地よりなる前身頃３ａ、３ｂと後身頃４ａ、４ｂを有するおむつパッドカバー本体と、撥水生地よりなりおむつパッドカバー本体に設けられ任意のおむつパッドを抑えおむつパッドカバー本体内部の前面上部もしくは後面上部に端部を止着されたカバーシート２と、おむつパッドカバー本体の開口部に撥水生地を折り返し加工されてフィッティング機能を有する開口フィッティング部５、６とより構成される。【選択図】図１
0003198753.tif 000002
【実用新案登録請求の範囲】
【請求項１】
繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなるカバー本体と、
該カバー本体の左右足開口部に前記カバー本体を折り返して締め付け効果を向上させた一対の足開口部用フィッティング部と、
前記カバー本体の内部にて装着者のおむつパッドを押さえ込むように少なくも前上方端を固定されたカバーシートとよりなることを特徴とするおむつカバー。
【請求項２】
繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなるカバー本体と、
該カバー本体の腰開口部に前記カバー本体を折り返して締め付け効果を向上させた一対の腰開口部用フィッティング部と、
前記カバー本体の内部にて装着者のおむつパッドを押さえ込むように少なくも前上方端を固定されたカバーシートとよりなることを特徴とするおむつカバー。
【請求項３】
おむつパッドを具備し、
該おむつパッドと前記カバーシート間の肌に触れない位置に設けられたパッド固定機構とよりなる請求項１または２記載のおむつカバー。
【考案の詳細な説明】
【技術分野】
【０００１】  本考案は、繊維に撥水粒子を施した伸縮性のある通気性を有するとともに低摩擦力の撥水生地を肌に触れるカバー本体ならびにカバーシートに活用することで装着感、褥瘡対策ならびに手入れ性を向上したおむつカバーに関する。
【背景技術】
【０００２】  従来、おむつカバーとして尿が寝ているシーツや着用している衣服を汚さないように外装生地に防水性生地もしくは表面に防水加工を施した生地を用いるものであった。【０００３】  装着性、使用感をさらに付加するために、特許文献１に示すように綿等の肌触りのよい布製内層と、ポリエステル、アクリル等の通気性に富んだ布製の外層との二層構造とし、さらに防水加工を施したものがあった。【０００４】  装着時のムレを軽減するために、特許文献２に示すように撥水性の外装生地、通気性を有する給水生地等の複数層の構成よりなるものがあった。
【先行技術文献】
【特許文献】
【０００５】
【特許文献１】特開平８−１３１４６９号
【特許文献２】実用新案登録第３１６４１３６号
【考案の概要】
【考案が解決しようとする課題】
【０００６】  防水性生地、防水加工生地を用いたものにあっては、通気性が欠如するために装着部位に湿気や熱がこもり肌を痛め、皮膚病の発生要因となり、傷、かぶれ褥瘡等を引き起こすことがあった。その回避のためにはこまめな着脱や手入れが必要となっていた。【０００７】  通気性を考慮したものであっても、複数層構造となっているために、カバー自体が肉厚となり、装着性ならびに装着時の外観を損なうものであった。
また、装着時の動きにより複数層間のずれが発生し、吸収パッドのずれをひきおこすことが多々あった。複数層間を前面で粘着などした場合はカバー全体がごわついたり硬くなり装着感の欠如、通気性の低下、吸水パッドの固定性の低下を引き起こす。
あわせて、再利用目的のものになっては、洗濯をした場合に乾燥性にかけるために乾燥時間に時間を費やすという問題あった。【０００８】  従来のおむつカバーにおいて、吸水パッドの押さえ込みはカバー本体に収納手段、止着手段を利用するものがあったが、複雑な構造となるため生産性の低下、コスト高になっていた。
簡易的なカバーシートを利用した場合には、カバー本体により押さえ込みが必要となるが、複雑な立体形状の吸水パッドを上面のみから押さえ込むため、ずれが発生する可能性が高かった。これを回避するために強い押さえ込みにおいては押さえ込みにより肌と吸水パッドの圧迫感ならびに摩擦力の向上による皮膚を傷つけるおそれがあった。
本考案は、これら各種課題を解決するものである。
【課題を解決するための手段】
【０００９】  繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなるカバー本体と、
該カバー本体の左右足開口部に前記カバー本体を折り返して締め付け効果を向上させた一対の足開口部用フィッティング部と、
前記カバー本体の内部にて装着者のおむつパッドを押さえ込むように少なくも前上方端を固定されたカバーシートとより構成される。【００１０】  繊維フィラメントの表面に炭化フッ素等のナノサイズ撥水粒子をコーティングして編みこまれた通気性を有するとともに少なくとも縦横方向への伸縮性を有するとともに低摩擦性の撥水生地よりなるカバー本体と、
該カバー本体の腰開口部に前記カバー本体を折り返して締め付け効果を向上させた一対の腰開口部用フィッティング部と、
前記カバー本体の内部にて装着者のおむつパッドを押さえ込むように少なくも前上方端を固定されたカバーシートとより構成される。【００１１】  おむつパッドを具備し、
該おむつパッドと前記カバーシート間の肌に触れない位置に設けられたパッド固定機構とより構成される。
【考案の効果】
【００１２】  本考案において、両面が撥水機能を有するとともに通気性、縦横伸縮性を有する撥水生地単体でおむつカバー本体、カバーシート、開口部のフィッティング部を構成することで、極めて軽量となり装着者への不要な重量負担が解消される。
製造に関しても、撥水生地単層の基本部材となるため生産効率がよく、かつ低コスト化が実現した。あわせて、洗濯時には吸水性を有する生地が殆ど使用されていないため、洗濯後には手で持ち強く振ることで水分が殆ど飛び極めて短時間の干しですぐ利用することができる。【００１３】  おむつカバー本体とカバーシートが低摩擦素材よりなることで、これらが皮膚と接触しても肌損傷を防止することができる。
この際、生地が縦横の伸縮性をもつためおむつパッドの過剰な押さえつけの緩衝の役割を果たすとともに、通気性を保持することで蒸れにより菌の発生を抑止し、衛生的な使用を実現した。【００１４】  カバーシートの生地自体が縦横の伸縮性を有し、少なくとも前上端部で固定され、股下で抑え込まれかつ後方まで伸びておむつパッドを覆うため、装着者の生活上の動き、就寝時の寝返り等があってもカバーシートがそれに合わせて伸縮し抑え込むことでおむつパッドのずれ防止となる。
更に、おむつパッドとカバーシート間の肌に触れない位置にパッド固定機構を具備することで、おむつパッドのずれ防止効果をより向上させることができる。
【図面の簡単な説明】
【００１５】
【図１】  本考案の第一実施形態の斜視図である。
【図２】  本考案の第一実施形態の右側面図である。
【図３】  本考案の第一実施形態のパーツ説明図である。
【図４】  本考案の第一実施形態の断面図である。
【図５】  本考案の第一実施形態のフィッティング部の説明図である。
【図６】  本考案のフィッティング部の他の説明断面図である。
【図７】  本考案の第二実施形態の断面説明図である。
【図８】  本考案の第三実施形態のカバーシートの説明図である。
【考案を実施するための形態】
【００１６】  本考案の撥水生地について説明する。
本考案の撥水生地は、生地を構成するポリエチレンやナイロン等の糸の繊維フィラメントの表面に炭化フッ素等のナノサイズ撥水粒子をコーティングして縦横の伸縮を実現するように編み込まれたものである。これにより、生地全面をコーティングしないため、優れた通気性を実現している。これら撥水機能は生地全面すなわち表裏両面に及ぶ。この際、撥水効果としては通常の水分の接触に関しては撥水し内部侵入ならびに反対面への浸透はないが、高圧で水分が逃げない方向への圧力に関して浸透するものである。
これら生地に関しては、より細い糸と編み密度を高めることで高撥水性ならびに軽量化並びに低摩擦力化を実現するものである。
本考案においては、尿や汗等の水分に対し就寝時や生活時においておむつカバーとしての利用に置いて適度な空間並びに撥水移動効果により浸透しない範囲の撥水生地が利用される。
【００１７】  以下、本考案第一実施形態について図１乃至図６をもちいて説明する。
図１は本考案の第一実施形態の斜視図、図２は本考案の第一実施形態の右側面図、図３は本考案の第一実施形態のパーツ説明図、図４は本考案の第一実施形態の断面図、図５は本考案の第一実施形態のフィッティング部の説明図、図６は本考案のフィッティング部の他の説明断面図、図７は本考案の第二実施形態の断面説明図、図８は本考案の第三実施形態のカバーシートの説明図である。
本考案は、カバー本体１、カバーシート２、足開口部フィッティング部５、腰開口部フィッティング部６により構成される。
カバー本体１、足開口部フィッティング部５、腰開口部フィッティング部６は撥水生地よりなる右前身頃３ａ、左前身頃３ｂ、右後身頃４ａ、左後身頃４ｂの４つの生地より構成される。
左右前身頃３ａ、３ｂ及び左右後身頃４ａ、３ｂはそれぞれ対称な形状よりなる。前身頃３と後身頃４が接合される辺においては同じ長さとなる。また、前身頃間および後身頃間の図３においては湾曲形状をして記された辺ならびにその辺の下端から生地底辺へと形成される辺の長さはそれぞれほぼ同一である。
カバーシート２は、略帯状であり図３におけるところの上下部位は幅広で中間部が若干狭まっている。ここで、カバーシートの形状条件として取り付けられたおむつパッドを男女の排泄尿部位部分に対して左右から抑え覆う形状大きさがあげられる。左右の押さえ込みを向上させるために左右端部はストレッチ性を有する縫合処理が施されていることが望ましい。
前身頃３と後身頃４の上下辺の長さＬ３、Ｌ４と湾曲形状をして記された辺Ｌ１、Ｌ２に関しては、人体の構造に鑑み、前身頃の同箇所よりも後身頃の同箇所のほうが長くなっている。それら比率に関しては対象者も基準として適宜設定される。
本考案を製作するにおいて、左右前身頃の湾曲辺を内部に折り曲げた状態でｆ１にて縫合する。更に前股下部を形成するように同様にｆ５にて縫合する。
縫合された左右前身頃３と左右後身頃４のそれぞれの側部開放端をｆ４、ｆ５でそれぞれ縫合する。
次に、右前身頃、右後身頃をｆ５、左前身頃、左後身頃をｆ６で縫合することで腰開口部および左右足開口部を有する略パンツ状となる。
この状態で、カバーシート２の図３における上下端部を縫合後の前身頃上部および縫合後の後身頃上部にそれぞれｆ７、ｆ８で縫合するとともに股下部をｆ９で図４に示すようにカバー本体と縫合する。
解放状態の上部並びに左右下の開口部はそれぞれ図５に示すように折り返して縫合することで足開口部フィッティング部５、腰開口部フィッティング部６が形成される。この際、各フィッティング部は伸縮性の生地が折り返されることでより強力な伸縮性を実現し、カバー本体以上の締め付け効果で流出した尿や汗等の水部が外部に流出することを防ぐ。
【００１８】  本考案を使用するときは、任意のおむつパッドを排泄尿部位にあて、本おむつカバーを装着する。これにより、カバーシート２でおむつパッドが押さえつけられ固定される。固定に際し、カバーシートは前後をカバー本体１前後上端部で固定され、かつまた下部でも固定されているため３点で左右へのずれ抑止になるとともに、縦横伸縮性により装着時は前後左右への移動摩擦負担の緩衝ならびに元の位置に押し戻す位置復元効果を及ぼす。
【００１９】  フィッティング部に関して、本考案ではギャザータイプで発生する肌との隙間を回避することでおむつパッドでは吸収しきれなかった尿等の水分が外部に流出することを防ぐことができる。撥水生地単体だけの締め付け能力では不安な場合は、図６に示すように開口部の折り返し部間にゴムベルトを配置することも考えられる。この際、ゴムベルトは撥水生地で覆われているため、水分を浸透しにくくなっているため従来より乾燥性に優れ、早期再利用を可能とする。
【００２０】  以下、本考案第二実施形態について図７をもちいて説明する。
本実施形態においては、カバーシート２が前身頃３上部および股下部で縫合されている。
排尿目的としては、カバーシート２後部は端部が固定されていなくてもおむつパッド全体を覆えるものであれば、これで十分に役割を果たすことができる。
【００２１】  以下、本考案第三実施形態について図８をもちいて説明する。
本実施形態は、おむつパッドのずれをより確実に防ぐためのものである。そのために、カバーシート２の前後上部付近にパッド固定機構の役割をなす止着シート１２ａ、１２ｂが設けられている。
ここで、止着シート１２とは両面テープ、粘着シート、面ファスナー等があげられる。両面テープ、粘着シートにおいてはおむつパッドに特別の止着対応部材を用いなくても、部材自体の素材に止着可能である。但し、再利用を検討する場合においては、洗浄等で止着能力が復元するものであることが望ましい。
面ファスナーを利用する場合においては、おむつパッドにも該当の面ファスナーで着脱可能となる止着部材を装着時の適宜位置に配することが必要となる。
これらパッド固定機構に関して、上記各種素材が検討できるが、位置及び大きさに関しては、装着時の活動、就寝等の各種状況において、肌にそれら固定機構に関する部材が触れないものであることが望ましい。
なお、止着シート１２ａのみでも一定の効果を得られる。
以上、実施形態を記載したが本目的を達成するための必要構成に関するものであれば、本実施形態に限定されるものではない。
【符号の説明】
【００２２】１  カバー本体、
２  カバーシート
３；３ａ；３ｂ  前身頃
４；４ａ；４ｂ  後身頃
５  足開口部フィッティング部
６  腰開口部フィッティング部
７  前端部
８  後端部
９  腰折り返し部
１０  足折り返し部
１１  ゴムベルト
１２；１２ａ；１２ｂ  止着シート
【図１】
0003198753.tif 000003
【図２】
0003198753.tif 000004
【図３】
0003198753.tif 000005
【図４】
0003198753.tif 000006
【図５】
0003198753.tif 000007
【図６】
0003198753.tif 000008
【図７】
0003198753.tif 000009
【図８】
0003198753.tif 000010